(57)【要約】【課題】塵埃吸引、拭き取り性能に優れた電気掃除機用吸込具を提供する。【解決手段】回転自在に配された回転ブラシ３と、前記回転ブラシ３のブラシ６に摺設するイオン発生部４とを備え、前記イオン発生部４には前記ブラシ６側に突出してこれと摺接するリブ（突部）４ａを設けるとともに、前記回転ブラシ３と前記リブ４ａとを帯電順位が異なる材料で形成したもので、リブ４ａの立ち上がり面の分だけ前記ブラシ６とイオン発生部４との接触面積が大きくなってイオンの発生量を増大することができ、前記回転ブラシ３のブラシ６の長さが製造時にばらついても、これに影響されることなく、安定してマイナスイオンを発生させることができ、塵埃吸引、拭き取り性能に優れた電気掃除機用吸込具を提供できるようになる。【選択図】図１
2006158753.tif 000002
【特許請求の範囲】
【請求項１】
回転自在に配された回転ブラシと、前記回転ブラシのブラシに摺設するイオン発生部とを備え、前記イオン発生部には前記ブラシ側に突出してこれと摺接する突部を設けるとともに、前記回転ブラシと前記突部とを帯電順位が異なる材料で形成した電気掃除機用吸込具。
【請求項２】
突部の少なくとも立ち上がり面に傾斜面を設けた請求項１に記載の電気掃除機用吸込具。
【請求項３】
イオン発生部をシート材で形成すると共に、前記シート材の一部を略垂直方向に折り曲げて突部を形成した請求項１に記載の電気掃除機用吸込具。
【請求項４】
吸引風を発生する電動送風機と、請求項１〜３のいずれか１項に記載の電気掃除機用吸込具を備えた電気掃除機。
【発明の詳細な説明】
【技術分野】
【０００１】
本発明は、電気掃除機用吸込具及びこれを用いた電気掃除機に関するものである。
【背景技術】
【０００２】
従来の、この種の電気掃除機用吸込具として、摩擦でイオンを発生させるイオン発生部と、周面に多数の毛を有し、床面の塵埃を掻き揚げる回転ブラシとを備え、前記イオン発生部に設けた面に前記回転ブラシの毛先が摺接することによってイオンが発生し、逆の電位に帯電された塵埃を吸着するようにしたものが有る（例えば、特許文献１参照）。
【特許文献１】特開２００３−３０４９９０号公報
【発明の開示】
【発明が解決しようとする課題】
【０００３】
しかしながら上記従来の電気掃除機用吸込具の構成では、回転ブラシの毛足の長さがばらつくと、前記イオン発生部の面との接触抵抗が大きく変わり、そのためイオンの発生量が大きく変化してしまうという課題を有していた。
【０００４】
本発明は、上記従来の課題を解決するもので、非常に簡単な機構で、マイナスイオンを安定して多量に発生させて、集塵性能を向上させた電気掃除機用吸込具およびそれを用いた電気掃除機を提供することを目的とする。
【課題を解決するための手段】
【０００５】
上記課題を解決するために、本発明の電気掃除機用吸込具は、回転自在に配された回転ブラシと、前記回転ブラシのブラシに摺設するイオン発生部とを備え、前記イオン発生部には前記ブラシ側に突出してこれと摺接する突部を設けるとともに、前記回転ブラシと前記突部とを帯電順位が異なる材料で形成したものである。
【０００６】
そして、イオン発生部に回転ブラシのブラシ側に向かって突出するリブを設けたことにより、当該突部の立ち上がり面の分だけ前記回転ブラシとイオン発生部との接触面積が大きくなってイオンの発生量を増大することができ、かつ、前記回転ブラシのブラシの長さが製造条件などによってばらついても、突部の突出寸法内でのばらつきであればこれに影響されず、安定してイオンを発生させることができる電気掃除機用吸込具を提供することができる。
【発明の効果】
【０００７】
本発明の電気掃除機用吸込具は、回転ブラシとイオン発生部に製造条件のばらつきなどで寸法変化が生じても、マイナスイオンを安定して発生させることによって、被掃除面の塵埃を効率よく集塵することができる。
【発明を実施するための最良の形態】
【０００８】
第１の発明は、回転自在に配された回転ブラシと、前記回転ブラシのブラシに摺設するイオン発生部とを備え、前記イオン発生部には前記ブラシ側に突出してこれと摺接する突部を設けるとともに、前記回転ブラシと前記突部とを帯電順位が異なる材料で形成したもので、前記回転ブラシのブラシの長さが製造条件などによってばらついても、それに影響されず安定してイオンを発生させることができる電気掃除機用吸込具を提供することができる。
【０００９】
第２の発明は、特に、第１の発明の突部の少なくとも立ち上がり面に傾斜面を設けたもので、ブラシとの接触面積が広くなり効率的に接触することができ、マイナスイオンの発生量を多くして、集塵効率を向上させることができる。
【００１０】
第３の発明は、特に、第１の発明のイオン発生部をシート材で形成すると共に、前記シート材の一部を略垂直方向に折り曲げて突部を形成したもので、イオン発生部を安価に形成することができる。
【００１１】
第４の発明は、吸引風を生成する電動送風機と、請求項１〜３のいずれか１項に記載の電気掃除機用吸込具を備えたもので、効率的に床面の塵埃を集塵することができる電気掃除機を提供することができる。
【００１２】
以下、本発明の実施の形態について、図面を参照しながら説明する。なお、この実施の形態によってこの発明が限定されるものではない。
【００１３】
（実施の形態１）
以下、本発明の第１の実施の形態について図１〜図４を用いて説明する。
【００１４】
図１は、本実施の形態における電気掃除機用吸込具の裏面図である。図１において、１は、図示しない電気掃除機の延長管の先端に接続される電気掃除機用吸込具で、底面に設けられ塵埃を吸引するための開口部２と、回転自在に設けられた回転ブラシ３と、イオン発生部４とを備えている。回転ブラシ３は、回転軸５と、その回転軸５の周面に螺旋状に設けられた複数のブラシ６から構成されている。なお、このブラシ６は回転軸５の摺面に螺旋状に設けられたゴムブレード６ａの先端部に取付けるなどして設けられている。
【００１５】
イオン発生部４は、各物質をプラスからマイナスの電荷を、発生し易さを列に表記した帯電列表から、マイナス側に帯電し易い塩化ビニール樹脂などで形成されている。また、ブラシ６は、イオン発生部４の帯電順位と異なり帯電列表からプラス側に帯電し易いナイロン、羊毛などで形成されている。
【００１６】
また、イオン発生部４は、図２（ａ）、（ｂ）及び図３（ａ）に示すように、回転ブラシ３の回転軸５と直交する方向延設、すなわち、回転ブラシ３のブラシ側に突出してこれと摺接する突部（以下、リブと称す）４ａを有し、回転ブラシ３の回転時に、図２に示すようにブラシ６の先端が、リブ４ａにその長手方向に沿って摺接するようになっている。また、本実施の形態のおける回転ブラシ３は、電気掃除機用吸込具１が連通接続される電気掃除機に内蔵された電動送風機（図示せず）により、開口部２から吸引される空気がブラシ６に当たって、回転するものである。
【００１７】
以上のように構成された電気掃除機用吸込具について、以下その動作、作用を説明する。
【００１８】
本実施の形態における電気掃除機用吸込具１を電気掃除機の延長管（図示せず）に接続して、電気掃除機を運転すると、電気掃除機用吸込具１の開口部２から、塵埃を含む空気が吸引され、その吸引風が、ブラシ６に当たり、回転ブラシ３が回転し、ブラシ６がイオン発生部４に設けた三つのリブ４ａに摺接し、その時の摩擦によってマイナスイオンが発生し、被掃除面の塵埃にマイナスイオンを効率よく吸着させることができる。
【００１９】
ここで上記ブラシ６はリブ４ａがブラシ側に向かって突出して両者は互いにオーバラップしているので、製造条件などでブラシ６の毛足長さがばらついても、ブラシ６とリブ４ａは確実に摺接し、確実にマイナスイオンを発生させる。しかもこのリブ４ａがブラシ側に向かって突出しているのでブラシ６はリブ４ａの側面、すなわち立ち上がり面とも摺接することになって、より多くのマイナスイオンが発生することになる。このマイナスイオンは非掃除面の塵埃の電化を中和することになり、回転ブラシ３のブラシ６による掻き揚げ力で被掃除面の塵埃を効率的に、かつ確実に集塵できる。
【００２０】
以上のように、本実施の形態によれば、発生したマイナスイオンが被掃除面の塵埃に効率よく吸着し、さらに回転ブラシ３の掻き上げ力で被掃除面の塵埃を効率的に集塵することができる。
【００２１】
また、上記実施の形態では、回転ブラシ３を、開口部２から流入する吸引風で回転させるようにしたが、電気掃除機用吸込具１内に電動機（図示せず）を内蔵し、その電動機で、回転ブラシ３を回転するようにすれば、安定して回転させると共に、より多くのマイナスイオンを発生させることができ、集塵性能の向上を図ることができる。
【００２２】
また、本実施の形態では、イオン発生部４のリブ４ａを複数設けたことにより、前記回転ブラシ３との接触面積が大きくなるためマイナスイオンの発生量を増大することができ、被掃除面の塵埃をより効率的に集塵することができる。なお、上記実施の形態では、リブ４ａを３本設けたが、１本或いは４本以上でもよい。
【００２３】
また、図３（ｂ）に示すように、イオン発生部４のリブ４ａの両側面に、傾斜面４ｂを設けるようにすれば、回転ブラシ３のブラシ６との接触面積が大きくなり、マイナスイオンの発生量が増大し、被掃除面の塵埃をより効率的に集塵することができる。なお、片側の側面のみに傾斜面を設けても良い。
【００２４】
また、図３（ｃ）に示すように、イオン発生部４に切り込み４ｃを入れ、その切り込み４ｃで囲まれた部分を曲げ起こしてリブ４ａを形成するようにすれば、リブ４ａを有するイオン発生部４を、シート材で形成できるので安価に形成する事ができる。
【００２５】
また、イオン発生部４を塩化ビニール樹脂で形成することで、低価格で前記イオン発生部４を安価に形成することができる。
【００２６】
また、イオン発生部４をテフロン（登録商標）素材で形成すれば、他の素材よりもマイナスイオンをより多く発生することができ、しかもテフロン（登録商標）の摩擦係数が非常に小さいため、ブラシ６との摩擦によるリブ４ａの磨耗を軽減することができる。さらに環境負荷の小さな物質であるので燃焼しても有害物質が発生することがない。
【００２７】
また、回転ブラシ３を、吸引風で回転させて、イオン発生部４と摩擦させる構成とすることにより常に一定量のマイナスイオンを発生させることができ、集塵効率を高めることができる。
【００２８】
また、回転ブラシ３を電動機で回転させるようにすれば、ブラシ６をイオン発生部４に安定して摩擦させ、一定量かつ多くのマイナスイオンを発生させることができ、集塵効率を高めることができる。
【００２９】
なお、上記各実施の形態ではイオン発生装置に設ける突部としてリブを例にして説明したが、リブのような形態ではなく柱状、円錐柱状等の突起であっても良いものである。
【００３０】
図４は、上記実施の形態における電気掃除機用吸込具１を電気掃除機に接続した例を示す電気掃除機の全体斜視図である。
【００３１】
１０は、電気掃除機の本体で、前部にホース１１の一端を接続する接続口１２を有し、電動送風機１３を内蔵している。ホース１１の他端は、ハンドル１４を有すると共に延長管１５の一端に接続され、延長管１５の他端に電気掃除機用吸込具１が接続される。
【００３２】
上記構成により、ハンドル１４に設けたスイッチ（図示せず）を操作して、電動送風機１３を運転すると、電気掃除機用吸込具１の開口部２から、塵埃を含む空気が吸引され、その吸引風で回転ブラシ３が回転し、ブラシ６がイオン発生部４に摺接し、その時の摩擦によってマイナスイオンが発生し、被掃除面の塵埃にマイナスイオンを効率よく吸着させ、さらに回転ブラシ３のブラシ６による掻き揚げ力で被掃除面の塵埃を効率的に集塵できる。
【産業上の利用可能性】
【００３３】
以上のように、本発明にかかる電気掃除機用吸込具及び電気掃除機は、安定して発生するイオンによって被掃除面に付着した塵埃を効率よく集塵することができるもので、家庭用や、業務用の電気掃除機全般に適用できる。
【図面の簡単な説明】
【００３４】
【図１】本発明の第１の実施の形態における電気掃除機用吸込具の裏面図
【図２】（ａ）同、電気掃除機用吸込具の回転ブラシとイオン発生部の平面図（ｂ）同、電気掃除機用吸込具の回転ブラシとイオン発生部の前記（ａ）におけるＡ−Ａ断面図
【図３】（ａ）同、電気掃除機用吸込具のイオン発生部の斜視図（ｂ）同、電気掃除機用吸込具の他の例を示すイオン発生部の斜視図（ｃ）同、電気掃除機用吸込具のさらに他の例を示すイオン発生部の斜視図
【図４】同、電気掃除機用吸込具の接続例を示す電気掃除機の全体斜視図
【符号の説明】
【００３５】
１  電気掃除機用吸込具
２  開口部
３  回転ブラシ
４  イオン発生部
４ａ  リブ（突部）
５  回転軸
６  ブラシ
１０  本体
１２  接続口
【図１】
2006158753.tif 000003
【図２】
2006158753.tif 000004
【図３】
2006158753.tif 000005
【図４】
2006158753.tif 000006